(57)【要約】【課題】  その目的とするところは片手で咬合具を開放できる咬合具付き包装袋を提供することにある。【解決手段】  請求項１記載の本発明は、表フィルムと裏フィルムからなる包装袋の開口部が、左右に配された側端縁接合部と、上端縁接合部と、上端縁接合部と対向する位置に配された相互に咬合し合う雄部材と雌部材とからなる合成樹脂製の咬合具と、で構成された咬合具付き包装袋であって、前記表フィルムと前記裏フィルムの外側面の前記咬合具が位置する部分に滑り止め層が設けられていることを特徴とする咬合具付き包装袋である。【選択図】        図１
2017226478.tif 000002
【特許請求の範囲】
【請求項１】
表フィルムと裏フィルムからなる包装袋の開口部が、左右に配された側端縁接合部と、上端縁接合部と、上端縁接合部と対向する位置に配された相互に咬合し合う雄部材と雌部材とからなる合成樹脂製の咬合具と、で構成された咬合具付き包装袋であって、
前記表フィルムと前記裏フィルムの外側面の前記咬合具が位置する部分に滑り止め層が設けられていることを特徴とする咬合具付き包装袋。
【請求項２】
前記滑り止め層が、左右の前記側端縁接合部に跨り、且つ、前記咬合具が位置する長手方向の部分に設けられていることを特徴とする請求項１に記載の咬合具付き包装袋。
【請求項３】
前記上端縁接合部と前記咬合具が近接して設けられていることを特徴とする請求項１または請求項２に記載の咬合具付き包装袋。
【請求項４】
前記側端縁接合部が、互いに異なる長さを有する、長側端縁接合部と、短側端縁接合部とを備え、前記長側端縁接合部と前記短側端縁接合部が左右に対向して配されており、
前記長側端縁接合部及び前記短側端縁接合部の下端部は下端縁接合部で繋がれており、
前記上端縁接合部は、前記長側端縁接合部の上端部から前記短側端縁接合部に向かい延びる第一上端縁接合部と、前記短側端縁接合部の上端部から前記長側端縁接合部に向かい延びる第二上端縁接合部と、前記第一上端縁接合部及び前記第二上端縁接合部の自由な端部を繋ぐ連結接合部とからなり、
前記第一上端縁接合部と対向する位置に前記咬合具を備えることを特徴とする請求項１に記載の咬合具付き包装袋。
【請求項５】
前記咬合具が形状保持性を備えることを特徴とする請求項１乃至請求項４のいずれかに記載の咬合具付き包装袋。
【発明の詳細な説明】
【技術分野】
【０００１】
本発明は、スナック菓子、キャンディー、チョコレート、飴等の内容物が収容された咬合具付き包装袋に関し、詳しくは滑り止め層が設けられている咬合具付き包装袋に関する。
【背景技術】
【０００２】
従来、内容物を収納して密封包装された包装袋を開封し、内容物を必要なだけ取り出した後、再封することができる包装袋として、開口部に咬合具を付けた咬合具付き包装袋が広く知られている（例えば、特許文献１参照）。この咬合具付き包装袋に内容物が収納された商品を購入した消費者は、咬合具が備えられていることにより、使用の都度、内容物を取り出して再封することができると共に、他の容器等に移し替える手間が不要となり、消費者にとって、利便性に優れた包装形態である。これらの咬合具付き包装袋には、通常、咬合具を開放するために開口部に摘み部となる領域が咬合具より上に設けられており、消費者はこの摘み部を手指で摘み、咬合具を開放することができる。しかし、表裏のフィルムが引き裂かれて形成された開口部は表裏のフィルムの切断面が一致していることが多く、両手の手指で表裏のフィルムをそれぞれ摘み難く咬合具の開放操作が面倒なものである。
【０００３】
そこで、一方の積層体に第１切目線を形成し、他方の積層体に第１切目線と異なる位置に第２切目線を形成し、積層体を引き裂いて開口したとき、引き裂き開封線に段差を生じさせ、積層体の一方と他方を摘まんで容易に開口できる咬合具付き包装袋が提案されている（例えば、特許文献２参照）。
【０００４】
しかし、特許文献１、特許文献２に開示された咬合具付き包装袋は、いずれも咬合具の上に摘み部となる領域が設けられており、両手の手指で積層体の一方と他方を摘み、咬合具を開放しなければならず、一方の手が塞がっているときには、開放することが困難であり、片手で咬合具を開放できる包装袋の開発が望まれている。
【先行技術文献】
【特許文献】
【０００５】
【特許文献１】特公昭６０−５０６６３号公報
【特許文献２】特許第５５６１１０７号公報
【発明の概要】
【発明が解決しようとする課題】
【０００６】
そこで本発明は、上記問題を解決すべくなされたものであり、その目的とするところは片手で咬合具を開放できる咬合具付き包装袋を提供することにある。
【課題を解決するための手段】
【０００７】
本発明は、上記課題を達成するために、請求項１記載の本発明は、表フィルムと裏フィルムからなる包装袋の開口部が、左右に配された側端縁接合部と、上端縁接合部と、上端縁接合部と対向する位置に配された相互に咬合し合う雄部材と雌部材とからなる合成樹脂製の咬合具と、で構成された咬合具付き包装袋であって、前記表フィルムと前記裏フィルムの外側面の前記咬合具が位置する部分に滑り止め層が設けられていることを特徴とする咬合具付き包装袋である。
【０００８】
また、請求項２記載の本発明は、請求項１に記載の咬合具付き包装袋において、前記滑り止め層が、左右の前記側端縁接合部に跨り、且つ、前記咬合具が位置する長手方向の部分に設けられていることを特徴とするものである。
【０００９】
また、請求項３記載の本発明は、請求項１または請求項２に記載の咬合具付き包装袋において、前記上端縁接合部と前記咬合具が近接して設けられていることを特徴とするものである。
【００１０】
また、請求項４記載の本発明は、請求項１に記載の咬合具付き包装袋において、前記側端縁接合部が、互いに異なる長さを有する、長側端縁接合部と、短側端縁接合部とを備え、前記長側端縁接合部と前記短側端縁接合部が左右に対向して配されており、前記長側端縁接合部及び前記短側端縁接合部の下端部は下端縁接合部で繋がれており、前記上端縁接合部は、前記長側端縁接合部の上端部から前記短側端縁接合部に向かい延びる第一上端縁接合部と、前記短側端縁接合部の上端部から前記長側端縁接合部に向かい延びる第二上端縁接合部と、前記第一上端縁接合部及び前記第二上端縁接合部の自由な端部を繋ぐ連結接合部とからなり、前記第一上端縁接合部と対向する位置に前記咬合具を備えることを特徴とするものである。
【００１１】
また、請求項５記載の本発明は、請求項１乃至請求項４のいずれかに記載の咬合具付き包装袋において、前記咬合具が形状保持性を備えることを特徴とするものである。
【発明の効果】
【００１２】
本発明の咬合具付き包装袋は、表フィルムと裏フィルムの外側面の咬合具が位置する部分に滑り止め層を設けた構成とすることにより、滑り止め層の部分を片手で摘み咬合具を容易に開放することができる。
【図面の簡単な説明】
【００１３】
【図１】本発明に係る咬合具付き包装袋の第一実施形態を示す正面図である。
【図２】図１のＡ−Ａ線断面図である。
【図３】本発明に係る咬合具付き包装袋の咬合具を開放する方法を説明する説明図である。
【図４】本発明に係る咬合具付き包装袋の第二実施形態を示す正面図とＢ−Ｂ線断面図である。
【図５】本発明に係る咬合具付き包装袋の第三実施形態を示す正面図である。
【図６】本発明に係る咬合具付き包装袋の第四実施形態の咬合具付き包装袋の開口した状態を示す説明図である。
【図７】本発明に係る咬合具付き包装袋の第五実施形態の咬合具付き包装袋の開口した状態を示す説明図である。
【発明を実施するための形態】
【００１４】
上記の本発明について、図面等を用いて以下に詳述する。
図１は本発明に係る咬合具付き包装袋の第一実施形態を示す正面図、図２は図１のＡ−Ａ線断面図、図３は本発明に係る咬合具付き包装袋の咬合具を開放する方法を説明する説明図、図４は本発明に係る咬合具付き包装袋の第二実施形態を示す正面図とＢ−Ｂ線断面図、図５は本発明に係る咬合具付き包装袋の第三実施形態を示す正面図、図６は本発明に係る咬合具付き包装袋の第四実施形態の咬合具付き包装袋の開口した状態を示す説明図、図７は本発明に係る咬合具付き包装袋の第五実施形態の咬合具付き包装袋の開口した状態を示す説明図であり、図中のＰ１、Ｐ２、Ｐ３は咬合具付き包装袋、Ｐ１’ 、Ｐ４’、Ｐ５’は開封された咬合具付き包装袋、１は表フィルム、２は裏フィルム、３は開口部、４、５は側端縁接合部、４１は長側端縁接合部、５１は短側端縁接合部、６は上端縁接合部、６１は第一上端縁接合部、６２は第二上端縁接合部、６３は連結接合部、７、７’は下端縁接合部、８、８１は咬合具、８ａ、８１ａは雄部材、８ｂ、８１ｂは雌部材、９は滑り止め層、１０は連結接合部、２０は積層体、２１は基材層、２２は中間層、２３は内層、Ｓは底材、Ｎはノッチ、ｄは間隔をそれぞれ示す。
【００１５】
図１は本発明に係る咬合具付き包装袋の第一実施形態を示す正面図、図２は図１のＡ−Ａ線断面図であって、咬合具付き包装袋Ｐ１は、表フィルム１と裏フィルム２と咬合具８で構成され、表フィルム１と裏フィルム２を対向して配置し、その間に咬合具８を備え、左右に対向して配された側端縁接合部４、５と上下に対向して配された上端縁接合部６と下端縁接合部７で熱接着された四方シール袋である。下端縁接合部７は内容物を充填するため開口となっており、内容物を開口より充填した後、熱接着して下端縁接合部７が形成されるものであり、図１では下端縁接合部７をハッチングで示している。
【００１６】
咬合具８は相互に咬合しあう合成樹脂製の雄部材８ａと雌部材８ｂからなり、それぞれ表フィルム１と裏フィルム２に熱接着され、上端縁接合部６と対向して配置されている。咬合具８の上端と上端縁接合部６の下端との間隔ｄの範囲内の側端縁接合部４の外縁にノッチＮが設けられている。本発明における開口部３とは、表フィルム１と、裏フィルム２と、左右に配された側端縁接合部４と、側端縁接合部５と、上端縁接合部６と、上端縁接合部６と対向する位置に配された咬合具８と、で構成された部分をいう。
【００１７】
図１、図２に示すように第一実施形態の咬合具付き包装袋Ｐ１は、表フィルム１と裏フィルム２の外側面の咬合具８が位置する略中央部分に滑り止め層９が部分的に設けられている。滑り止め層９は咬合具８が位置する表フィルム１と裏フィルム２の外側面であれば設ける位置は限定されないが、略中央部分が好ましく、さらに表フィルム１と裏フィルム２の外側面に対称に形成させることが重要である。滑り止め層９の大きさは人差し指の指先程度でよいが咬合具８の長手方向と直交する上下方向に咬合具８を跨いで設ける方が好ましい。また、滑り止め層９は側端縁接合部４の外縁から側端縁接合部５の外縁まで帯状に連続して設けることもできる。
【００１８】
表フィルム１及び裏フィルム２はフィルム単体でもよいが、積層体であること方が好ましい。積層体２０としては基材層２１、中間層２２及び、熱接着性を有する内層２３が積層された構成が好ましい。また、積層体２０の積層構成は図２に限定されるものではなく、基材層２１または中間層２２と内層２３の二層にすることもできる。図２に示すように咬合具８の雄部材８ａの平坦な基部は表フィルム１の積層体２０の内層２３の内面に熱接着されており、咬合具８の雌部材８ｂの平坦な基部は裏フィルム２の積層体２０の内層２３の内面に熱接着されている。
【００１９】
つぎに本発明の咬合具付き包装袋Ｐ１、Ｐ２（図４参照）、Ｐ３（図５参照）に使用する材料について説明する。表フィルム１、裏フィルム２に用いられる積層体２０の基材層２１としては、咬合具付き包装袋Ｐ１、Ｐ２、Ｐ３を構成する基本素材となることから、機械的、物理的、化学的等において優れた性質を有する合成樹脂製フィルムを用いることができ、ポリプロピレン、ポリエチレンテレフタレート、ナイロン、ポリアクリロニトリル、ポリ塩化ビニリデン、ポリビニルアルコール、エチレン・ビニルアルコール共重合体等のフィルムやセロハンや出発原料を植物由来とする例えばポリ乳酸系の二軸延伸フィルム等を用いることができる。あるいは、上記のフィルムにポリ塩化ビニリデン、ポリビニルアルコール等のバリア性樹脂組成物を塗布してバリア層を設けたもの、あるいは、アルミニウム、酸化アルミニウム、酸化珪素、酸化インジウム、酸化錫、酸化ジルコニウム等の無機物を蒸着して蒸着層を設けたものを用いることができる。また、これらのフィルムとしては、未延伸フィルム、一軸方向ないし二軸方向に延伸したフィルムが使用できるが延伸フィルムの方が好適である。この理由としては、通常、基材層２１には印刷が施されることが多く、印刷適性が求められるからである。また、基材層２１を構成するフィルムの厚さとしては、基本素材としての強度、剛性などについて必要最低限に保持され得る厚さであればよいのであって、コストなどを勘案して決めればよいが、通常、９〜５０μｍ程度である。
【００２０】
中間層２２としては、剛性や遮光性あるいはガスバリアー性等が包装条件、輸送条件、内容物の保護機能条件により要求される場合に設けるものであり、前記基材層に用いられるフィルム、前記バリア層又は蒸着層を設けた前記フィルム、アルミニウム、鉄、銅、錫等の金属箔、紙等が使用できる。また、これらのフィルム等を一種以上組合わせて積層したものでもよい。
【００２１】
内層２３としては、熱により溶融して相互に溶着し得る熱接着性樹脂から形成された層が好ましく、包装袋にたいする要求品質により適宜選択して用いればよいものであるが、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー、エチレン−アクリル酸共重合体、エチレン−メタクリル酸共重合体、エチレン−アクリル酸エステル共重合体、エチレン−メタアクリル酸エステル共重合体等の樹脂を用いて形成することができる。
基材層２１、中間層２２、内層２３を積層する方法としては、例えば、ウレタン系等のドライラミネート用接着剤を用いて積層するドライラミネーション法やポリエチレン樹脂等を熱溶融押出しして積層する押出しラミネーション法が使用できる。
【００２２】
咬合具８としては相互に咬合し合う雄部材８ａと雌部材８ｂからなる公知の咬合具を用いることができ、咬合具８の材料としては、咬合具付き包装袋Ｐ１の内層２３に用いる熱接着性樹脂と相溶性を有する樹脂からなるものであれば、特に限定するものではなく、適宜選択して用いればよいのであって、例えば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂で成形したものを用いることができる。
【００２３】
滑り止め層９としては、樹脂を溶剤に溶解したビヒクルに適宜顔料、各種補助剤等を加えてインキ化したものを用い、例えば、グラビア印刷法等の印刷法で印刷することによりパターン形成することができる。樹脂としては基材層２１に用いるフィルム等の種類により適宜選択されるものであるが、摩擦係数が高く、少しべたつきがあり、グリップ性のある樹脂が好ましく、ウレタン系樹脂もしくはアクリル系樹脂、さらにはそれらの混合樹脂が好ましく、その混合割合によりグリップ性がコントロールでき、アクリル系樹脂の混合比率を増加させるとべたつきが減少する。また、顔料としてはビーズやシリカ等の無機顔料が好ましく、グリップ性がより得られる。
【００２４】
図３は本発明に係る咬合具付き包装袋Ｐ１の咬合具８を開放する方法を説明する説明図である。図３（イ）は、咬合具付き包装袋Ｐ１をノッチＮより開口部３の上端縁接合部６と咬合具８間の表フィルム１と裏フィルム２を引裂き、開封された咬合具付き包装袋Ｐ１’を示し、開封された咬合具付き包装袋Ｐ１’の上部には咬合具８の上部が露出している。表フィルム１及び裏フィルム２の略中央部分に設けられた滑り止め層９を片手の親指と人差し指で挟み、相反する左右方向に指を滑らすことにより、指でグリップされた表フィルム１と裏フィルム２が相反する左右方向に移動し、側端縁接合部４の内縁及び側端縁接合部５の内縁より咬合具８が開放し始める。図３（ロ）及び（ハ）にその状態を示す。図３（ロ）、（ハ）は図３（イ）の上から見た上面図である。さらに指を滑らすことにより咬合具８の雄部材８ａと雌部材８ｂの咬合が完全に開放され、開封された咬合具付き包装袋Ｐ１’の上部を開口することができる。
このように咬合具８を開放することができるので従来、必須とされた咬合具８と上端縁接合部６の間に設けられた摘み部用スペースが不要となり、上端縁接合部６と咬合具８が近接して設けることができる。上端縁接合部６の下端と咬合具８の上端との間隔ｄは５ｍｍ以下にすることができる。この間隔では従来のように指で摘まんで開放することが困難な間隔である。その結果、咬合具付き包装袋Ｐ１に使用する積層体２０の使用量を低減でき、コストダウンが図れると共に材料の省資源化が図れる。なお、従来のように摘み部用スペースを設けてもよいことは当然である。
【００２５】
図４は、本発明に係る咬合具付き包装袋の第二実施形態を示す正面図とＢ−Ｂ線断面図である。図４に示すように咬合具付き包装袋Ｐ２は、下端から内側に折り込んだ底材Ｓを挿入して周縁を熱接着して舟形状の下端縁接合部７’を形成し、図４（ロ）に示すように逆Ｖ字状の底部を設けた自立袋である。咬合具付き包装袋Ｐ２の上部には滑り止め層９が、左右の側端縁接合部４、５に跨り、且つ、咬合具８が位置する長手方向の部分に連続した帯状に設けられている。咬合具付き包装袋Ｐ２は、包装袋の形態が自立袋であること、滑り止め層９が、左右の側端縁接合部４、５に跨り、且つ、咬合具８が位置する長手方向の部分に設けられていること以外は第一実施形態の咬合具付き包装袋Ｐ１と同じであり説明を省略する。
【００２６】
図５は、第三実施形態の咬合具付き包装袋Ｐ３を示す正面図である。本発明の第三実施形態の咬合具付き包装袋Ｐ３は、図５に示す通り、表フィルム１と裏フィルム２からなり、互いに異なる長さを有する、長側端縁接合部４１と、短側端縁接合部５１とを備え、長側端縁接合部４１と短側端縁接合部５１が左右に対向して配されており、長側端縁接合部４１及び短側端縁接合部５１の下端部は下端縁接合部７で繋がれている。下端縁接合部７と対向する上部には、長側端縁接合部４１の上端部から短側端縁接合部５１に向かい延びる第一上端縁接合部６１と、短側端縁接合部５１の上端部から長側端縁接合部４１に向かい延びる第二上端縁接合部６２と、第一上端縁接合部６１及び第二上端縁接合部６２の自由な端部を繋ぐ連結接合部６３とからなり、第一上端縁接合部６１と対向する位置に咬合具８を備えている。咬合具付き包装袋Ｐ３は、四角形の一箇所の角部に矩形状の切欠が形成された構成であり、第一上端縁接合部６１及び第二上端縁接合部６２は下端縁接合部７と対向している。
【００２７】
第一上端縁接合部６１及び第二上端縁接合部６２の左右の長さは略同じあり、それぞれ、下端縁接合部７の左右の長さの略半分である。また、下端縁接合部７に平行している。連結接合部６３は、第一上端縁接合部６１及び第二上端縁接合部６２の端部を繋いでいる。なお、前記の第一上端縁接合部６１の左右の長さは限定されるものではなく、用途や内容物に応じて適宜設定されるものであるが、８０ｍｍ以下にすることが特に好ましく、内容物を振り出して取り出しやすい。また、第一上端縁接合部６１及び第二上端縁接合部６２は下端縁接合部７に対して傾斜させて設けてもよい。さらに連結接合部６３は、第一上端縁接合部６１の短側端縁接合部５１側の端部から第二上端縁接合部６２の長側端縁接合部４１側の端部に向かい下る傾斜とすることもできる。
【００２８】
開口部３は、表フィルム１と、裏フィルム２と、長側端縁接合部４１と、連結接合部６３と、第一上端縁接合部６１と、第一上端縁接合部６１と対向する位置に配された咬合具８で構成され、第一上端縁接合部６１の下端縁と咬合具８の上端縁の間のスペースに長側端縁接合部４１の外縁にノッチＮが設けられている。咬合具８は長側端縁接合部４１と連結接合部６３に跨って配置されており、咬合具８が位置する表フィルム１及び裏フィルム２の外側面に滑り止め層９が、左右の長側端縁接合部４１及び連結接合部６３に跨り、且つ、咬合具８が位置する長手方向の部分に帯状に設けられ、咬合具８が位置する領域より少し上下に大きい領域が被覆されている。なお、第一上端縁接合部６１及び第二上端縁接合部６２と対向する下端から内側に折り込んだ底材Ｓを挿入して周縁を熱接着して舟形状の下端縁接合部７’（図４参照）を形成し、第二実施形態の咬合具付き包装袋Ｐ２の下端と同様に逆Ｖ字状の底部を設けた自立袋の変形袋としてもよい。
【００２９】
図６は第四実施形態の咬合具付き包装袋の開口した状態を示す説明図である。第四実施形態の咬合具付き包装袋は咬合具８１が形状保持性を備えている。その他は第一実施形態の咬合具付き包装袋Ｐ１と同じであり、同符号を付して説明を省略する。第四実施形態の咬合具付き包装袋は、ノッチＮより表フィルム１と裏フィルム２を引裂き開封した後、表フィルム１及び裏フィルム２の滑り止め層９の略中央部分を片手の親指と人差し指で挟み、相反する左右方向に指を滑らすことにより、指でグリップされた表フィルム１と裏フィルム２が相反する左右方向に移動し、側端縁接合部４の内縁及び側端縁接合部５の内縁より咬合具８１の開放が開始され、完全に開放されると、図６に示すように開封された咬合具付き包装袋Ｐ４’は咬合具８１が形状保持性を備えているので開口した状態で保持されるので内容物の取り出しが容易となる。
【００３０】
図７は第五実施形態の咬合具付き包装袋の開口した状態を示す説明図である。第五実施形態の咬合具付き包装袋は咬合具８１が形状保持性を備えている。その他は第三実施形態の咬合具付き包装袋Ｐ３と同じであり、同符号を付して説明を省略する。第五実施形態の咬合具付き包装袋は、ノッチＮより表フィルム１と裏フィルム２を引裂き開封した後、表フィルム１及び裏フィルム２の滑り止め層９の略中央部分を片手の親指と人差し指で挟み、相反する左右方向に指を滑らすことにより、指でグリップされた表フィルム１と裏フィルム２が相反する左右方向に移動し、長側端縁接合部４１の内縁及び連結接合部６３の内縁より咬合具８１の開放が開始され、完全に開放されると、図７に示すように開封された咬合具付き包装袋Ｐ５’は咬合具８１が形状保持性を備えているので開口した状態で保持されるので内容物の取り出しが容易となる。特に第一上端縁接合部６１の左右の長さを８０ｍｍ以下にすることが好ましく、片手で内容物を振り出して取り出すことが容易となる。
【００３１】
形状保持性を備えた咬合具８１としては、相互に咬合し合う雄部材８１ａ及び雌部材８１ｂが形状保持性を備える。雄部材８１ａ及び雌部材８１ｂとしては、少なくとも高密度ポリエチレン樹脂１００重量部に対して無機充填物１〜３０重量部を含む樹脂組成物からなる。雄部材８１ａ及び雌部材８１ｂは当該無機充填物を含むことにより剛性と形状保持性が付与されるものとなる。高密度ポリエチレン樹脂１００重量部に対して無機充填物が１重量部未満では、咬合具としての形状保持性が十分に発揮されず、高密度ポリエチレン樹脂１００重量部に対して無機充填物が３０重量部を超えると、樹脂組成物の流動性が著しく悪くなり、形状保持テープの製造において押出成形が困難になる。無機充填物としては、タルク、造核剤、マイカ、炭酸カルシウム、炭酸マグネシウム、酸化マグネシウムおよびこれらの混合物からなる群より選ぶことが好ましい。
【００３２】
通常、咬合具は、雄部材に突出した凸部および雌部材に突出した凹部を有するために、この凸部および凹部が骨となり、咬合具自体を屈曲させても元の直線状態に戻りやすい性質を有しているが、第四実施形態、第五実施形態に示す咬合具付き包装袋は、骨となる雄部材８１ａの帯状の雄型咬合部及び雌部材８１ｂの帯状の雌型咬合部を高密度ポリエチレン樹脂１００重量部に対して無機充填物１〜３０重量部を含む樹脂組成物とすることにより、咬合具８１に剛性を付与すると共に弾性を減じ、咬合具８１を屈曲させると元に直線状態に戻ろうとする復元性を阻害し、屈曲させた状態の形状保持性を有効に作用させるものとなる。なお、図示しないが雄部材８１ａ及び雌部材８１ｂの雄型咬合部及び雌型咬合部を支持する基部には、ポリオレフィン樹脂が用いられ、第四実施形態及び第五実施形態の咬合具付き包装袋の積層体２０の内層２３に用いる熱接着性樹脂と熱接着可能な樹脂からなるものであれば、特に限定するものではなく、適宜選択して用いればよいのであって、たとえば、低密度ポリエチレン、中密度ポリエチレン、高密度ポリエチレン、直鎖状（線状）低密度ポリエチレン、ポリプロピレン、エチレン−αオレフィン共重合体、エチレン−ブテン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂を用いることができる。
【００３３】
第四実施形態及び第五実施形態の咬合具付き包装袋に使用される積層体２０は、第一実施形態乃至第三実施形態で示した咬合具付き包装袋Ｐ１、Ｐ２、Ｐ３の積層体と同じものが使用できる。
【００３４】
本発明の咬合具付き包装袋は開口部３が表フィルム１と裏フィルム２からなり、左右に配された側端縁接合部４と側端縁接合部５または長側端縁接合部４１と連結接合部６３と、上端縁接合部６または第一上端縁接合部６１と、上端縁接合部６または第一上端縁接合部６１と対向する位置に配された相互に咬合し合う雄部材と雌部材とからなる合成樹脂製の咬合具８または咬合具８１と、で構成され、表フィルム１と裏フィルム２の外側面の咬合具８または咬合具８１が位置する部分に滑り止め層９が設けられている構成を備えておれば、種々の形態の咬合具付き包装袋に適用することができる。実施形態で示した四方シール袋、自立袋（スタンディングパウチ）、変形袋以外に一枚の積層体２０を折り返し部で半折して表フィルム１と裏フィルム２を重ね合わせ折り返し部と対向する一方の側に上端縁接合部を設け、対向する他方の側に側端縁接合部を対向して設け周縁部がコの字状に接合され密封された三方シール袋等にも適用することもできる。また、合掌袋、ガセット袋にも適用できる。さらに、咬合具が形状保持性を備えることにより内容部を取り出すのに便利な構成にできる。
【符号の説明】
【００３５】
Ｐ１、Ｐ２、Ｐ３            咬合具付き包装袋
Ｐ１’、Ｐ４’、Ｐ５’      開封された咬合具付き包装袋
１                          表フィルム
２                          裏フィルム
３                          開口部
４、５                      側端縁接合部
４１                        長側端縁接合部
５１                        短側端縁接合部
６                          上端縁接合部
６１                        第一上端縁接合部
６２                        第二上端縁接合部
６３                        連結接合部
７、７’                    下端縁接合部
８、８１                    咬合具
８ａ、８１ａ                雄部材
８ｂ、８１ｂ                雌部材
９                          滑り止め層
１０                        連結接合部
２０                        積層体
２１                        基材層
２２                        中間層
２３                        内層
Ｓ                          底材
Ｎ                          ノッチ
ｄ                          間隔
【図１】
2017226478.tif 000003
【図２】
2017226478.tif 000004
【図３】
2017226478.tif 000005
【図４】
2017226478.tif 000006
【図５】
2017226478.tif 000007
【図６】
2017226478.tif 000008
【図７】
2017226478.tif 000009